(57)【特許請求の範囲】
【請求項１】
表示制御装置であって、
表示部へのタッチ操作を検出する検出手段と、
前記表示部に表示された項目に対するタッチ操作に応じて、タッチされた項目に関する制御を行う制御手段と、
ユーザの操作に基づいて、複数の項目から表示する項目を選択する選択手段と、
前記表示部の辺のうち、当該装置を保持するためのグリップ部から最も近い辺に沿った第一の表示領域と、前記第一の表示領域よりも前記グリップ部から離れた位置にある第二の表示領域とに項目を表示するように制御する表示制御手段であって、前記選択手段により選択された項目を前記第一の表示領域へ表示し、予め定められる複数の項目を前記第二の表示領域に表示するように制御する表示制御手段とを有することを特徴とする表示制御装置。
【請求項２】
表示制御装置であって、
表示部へのタッチ操作を検出する検出手段と、
前記表示部に表示された項目に対するタッチ操作に応じて、タッチされた項目に関する制御を行う制御手段と、
動画モードに含まれるモードのうち、少なくとも第一のモードと第二のモードとに切り替え可能な動画モード切り替え手段と、
前記第一のモードから前記第二のモードに切り替えられた場合に、前記表示部に含まれる第一の表示領域に表示されていた複数の項目を、前記第二のモードにおいても前記第一の表示領域に表示し、
前記第一のモードにおいて、前記第一の表示領域よりも当該装置を保持するためのグリップ部から離れた位置にある第二の表示領域に表示されていた複数の項目のうち、少なくとも１つの項目は前記第二のモードにおいて前記第二の表示領域に表示せず、前記第二のモードに切り替えられたことにより表示されなくなった項目が表示されていた位置に、前記第二のモードにおいて表示される項目のいずれかを表示するように制御する表示制御手段とを有することを特徴とする表示制御装置。
【請求項３】
撮像手段での撮影を行うように制御する撮影制御手段をさらに有し、
前記第一の表示領域に表示される複数の項目はいずれも、撮影中に設定変更が可能な項目であり、
前記表示制御手段は、前記第二の表示領域には前記撮影中に設定変更できない項目を表示するように制御することを特徴とする請求項１に記載の表示制御装置。
【請求項４】
動画モードに含まれるモードのうち、少なくとも第一のモードと第二のモードとに切り替え可能な動画モード切り替え手段をさらに有し、
前記表示制御手段は、前記第一のモードから前記第二のモードに切り替えられた場合に、前記第一のモードの際に前記第一の表示領域に表示されていた複数の項目を、前記第二のモードにおいても前記第一の表示領域に表示し、前記第一のモードにおいて前記第二の表示領域に表示されていた複数の項目のうち、少なくとも１つの項目は前記第二のモードにおいて前記第二の表示領域に表示せず、前記第二のモードに切り替えられたことにより表示されなくなった項目が表示されていた位置に、前記第二のモードにおいて表示される項目のいずれかを表示するように制御することを特徴とする請求項１または３に記載の表示制御装置。
【請求項５】
前記表示制御手段は、第一の項目群から前記選択手段により選択された項目を前記第一の表示領域に表示し、第二の項目群のうちモードに応じて予め定められている項目を前記第二の表示領域に表示するように制御することを特徴とする請求項１または３に記載の表示制御装置。
【請求項６】
前記第一の表示領域に表示される項目と前記第二の表示領域に表示される項目は同じ階層の項目であることを特徴とする請求項１乃至３の何れか１項に記載の表示制御装置。
【請求項７】
静止画を撮影するための静止画モードと動画を撮影するための動画モードとを含む複数のモードのいずれかに設定するモード設定手段をさらに有し、
前記選択手段は、前記静止画モードにおいて前記第一の表示領域に表示する項目と、前記動画モードにおいて前記第一の表示領域に表示する項目とを、それぞれ選択可能であることを特徴とする請求項１または３に記載の表示制御装置。
【請求項８】
前記選択手段での選択の際に、前記静止画モードにおいて前記第一の表示領域に表示するための項目として選択可能な項目群と、前記動画モードにおいて前記第一の表示領域に表示するための項目として選択可能な項目群とは異なることを特徴とする請求項７に記載の表示制御装置。
【請求項９】
前記選択手段は、前記複数の項目から選択された項目を、前記第一の表示領域のうちユーザに指示された位置に表示するように選択可能であることを特徴とする請求項１または３に記載の表示制御装置。
【請求項１０】
前記選択手段は、同一の項目を前記第一の表示領域の異なる位置に表示するように選択可能であることを特徴とする請求項９に記載の表示制御装置。
【請求項１１】
前記第一の表示領域は表示部のうち端を含む領域にあり、前記第二の表示領域は前記端とは異なる端を含む領域にあることを特徴とする請求項１乃至３の何れか１項に記載の表示制御装置。
【請求項１２】
前記表示制御手段は、動画の撮影が開始されたことに応じて前記第二の表示領域に表示されている項目の表示形態を変更するように制御することを特徴とする請求項１乃至３の何れか１項に記載の表示制御装置。
【請求項１３】
前記第一の表示領域に表示されている項目と前記第二の表示領域に表示されている項目についての設定内容を変更する設定変更手段をさらに有し、
前記表示制御手段は、前記第一の表示領域に表示されている項目と前記第二の表示領域に表示されている項目のうち選択中のいずれか１つの項目について、前記表示部のうち第三の表示領域に前記項目について設定可能な選択肢を表示するように制御し、
前記設定変更手段は、前記第三の表示領域への選択操作に応じて、該項目についての設定内容を変更することを特徴とする請求項１乃至３の何れか１項に記載の表示制御装置。
【請求項１４】
前記第一の表示領域と前記第二の表示領域に表示される項目のうち少なくとも１つの項目は、前記項目に対して設定されている設定内容を示す表示アイテムで表示されることを特徴とする請求項１乃至３の何れか１項に記載の表示制御装置。
【請求項１５】
撮像部をさらに有し、
前記表示制御手段は、前記表示部に前記撮像部で撮像された画像を表示するとともに、該画像の中央部を挟んでそれぞれ逆側に前記第一の表示領域と前記第二の表示領域とを表示するように制御することを特徴とする請求項１乃至３の何れか１項に記載の表示制御装置。
【請求項１６】
前記第一の表示領域は、前記グリップ部を持った手の指によるタッチ操作が可能な位置であることを特徴とする請求項１乃至３の何れか１項に記載の表示制御装置。
【請求項１７】
前記撮影の開始を指示する操作部材である撮影指示部が、前記グリップ部を持った手の指によって操作可能な位置に配置されており、前記第一の表示領域は、当該手の他の指によってタッチ操作が可能な位置であることを特徴とする請求項３に記載の表示制御装置。
【請求項１８】
前記第一の表示領域は、前記グリップ部を保持した手でタッチ操作可能であり、前記第二の表示領域は、前記表示部のうち、第一の表示領域が沿う辺と対向する辺に沿った領域であることを特徴とする請求項１乃至３の何れか１項に記載の表示制御装置。
【請求項１９】
前記表示部のうち、片方の手で前記グリップ部を、他方の手で前記グリップ部とは異なる保持部を保持することより当該装置を構えた際に、前記第一の表示領域は前記グリップ部を保持した手の指が届く領域を含む領域であり、前記第二の表示領域は前記保持部を保持した手の指が届かない領域であることを特徴とする請求項１乃至３の何れか１項に記載の表示制御装置。
【請求項２０】
前記保持部は、当該装置に含まれるレンズ部を保持する保持部であることを特徴とする請求項１９に記載の表示制御装置。
【請求項２１】
前記保持部は、当該装置の本体部を保持する保持部であり、前記グリップ部は撮像指示部を含む複数の操作部材への操作を可能な状態で保持する保持部であることを特徴とする請求項１９に記載の表示制御装置。
【請求項２２】
表示制御装置への制御方法であって、
表示部へのタッチ操作を検出する検出ステップと、
前記表示部に表示された項目に対するタッチ操作に応じて、タッチされた項目に関する制御を行う制御ステップと、
ユーザの操作に基づいて、複数の項目から表示する項目を選択する選択ステップと、
前記表示部の辺のうち、当該表示制御装置を保持するためのグリップ部から最も近い辺に沿った第一の表示領域と、前記第一の表示領域よりも前記グリップ部から離れた位置にある第二の表示領域とに項目を表示するように制御する表示制御ステップであって、前記選択ステップで選択された項目を前記第一の表示領域へ表示し、予め定められる複数の項目を前記第二の表示領域に表示するように制御する表示制御ステップとを有することを特徴とする表示制御装置の制御方法。
【請求項２３】
表示制御装置への制御方法であって、
表示部へのタッチ操作を検出する検出ステップと、
前記表示部に表示された項目に対するタッチ操作に応じて、タッチされた項目に関する制御を行う制御ステップと、
動画モードに含まれるモードのうち、少なくとも第一のモードと第二のモードとに切り替え可能な動画モード切り替えステップと、
前記第一のモードから前記第二のモードに切り替えられた場合に、前記表示部に含まれる第一の表示領域に表示されていた複数の項目を、前記第二のモードにおいても前記第一の表示領域に表示し、
前記第一のモードにおいて、前記第一の表示領域よりも当該表示制御装置を保持するためのグリップ部から離れた位置にある第二の表示領域に表示されていた複数の項目のうち、少なくとも１つの項目は前記第二のモードにおいて前記第二の表示領域に表示せず、前記第二のモードに切り替えられたことにより表示されなくなった項目が表示されていた位置に、前記第二のモードにおいて表示される項目のいずれかを表示するように制御する表示制御ステップとを有することを特徴とする表示制御装置の制御方法。
【請求項２４】
コンピュータを、請求項１乃至２１の何れか１項に記載された表示制御装置の各手段として機能させるためのプログラム。
【請求項２５】
コンピュータを、請求項１乃至２１の何れか１項に記載された表示制御装置の各手段として機能させるためのプログラムを格納したコンピュータが読み取り可能な記録媒体。
【発明の詳細な説明】
【技術分野】
【０００１】
本発明は、撮影時に設定を行うための表示項目の表示制御技術に関する。
【背景技術】
【０００２】
撮像装置等の表示部の領域に対して表示可能な項目数は限られており、限られた表示項目をより操作性よく配置することが求められている。【０００３】
特許文献１には、左右いずれからもグリップ可能なカメラのタッチパネル表示部において、操作ボタンを表示する領域をグリップされたのが右か左かに応じて設定することが記載されている。特許文献２には、タッチパネル表示部に表示されるボタンの表示の有無と、表示位置を変更することができることが記載されている。
【先行技術文献】
【特許文献】
【０００４】
【特許文献１】特開２００４−３４０９９１号公報
【特許文献２】特開２０１１−１５９１８０号公報
【発明の概要】
【発明が解決しようとする課題】
【０００５】
特許文献１に記載の表示方法では、グリップする位置に応じてタッチ操作によって設定変更操作をしやすい位置に項目が表示されるので、グリップした手によって操作しやすくなる。しかし、特許文献１に記載の表示方法では、グリップされた側の領域に項目が表示されるが、その他の領域には項目は表示されず、多くの項目を表示することができない。そのため、グリップされた側の領域以外の領域も用いて多くの項目を表示したい場合に、グリップされた側の領域とその他の領域とにそれぞれどのような項目を表示すると操作性が良いのかの検討がされていない。【０００６】
特許文献２の表示方法では、ユーザは所望の項目を表示部の左右端の所望の位置（または領域）に表示させることができる。しかし、ユーザがデジタルカメラを構えた際の操作のしやすさまで考慮して表示位置を決定しない限り、デジタルカメラを構えた状態で操作性が良くなるように項目が表示されない可能性がある。【０００７】
本発明は、上記の課題に鑑み、装置を持って構えた状態で表示される項目に対する操作性をより向上させた表示制御装置の提供を目的とする。
【課題を解決するための手段】
【０００８】
上記目的を達成するために、本発明の表示制御装置は、表示部へのタッチ操作を検出する検出手段と、表示部に表示された項目に対するタッチ操作に応じて、タッチされた項目に関する制御を行う制御手段と、ユーザの操作に基づいて、複数の項目から表示する項目を選択する選択手段と、表示部の辺のうち、当該装置を保持するためのグリップ部から最も近い辺に沿った第一の表示領域と、第一の表示領域よりもグリップ部から離れた位置にある第二の表示領域と項目を表示するように制御する表示制御手段であって、選択手段により選択された項目を第一の表示領域へ表示し、予め定められる複数の項目を第二の表示領域に表示するように制御する表示制御手段とを有することを特徴とする。
または、本発明の表示制御装置は、表示部へのタッチ操作を検出する検出手段と、表示部に表示された項目に対するタッチ操作に応じて、タッチされた項目に関する制御を行う制御手段と、動画モードに含まれるモードのうち、少なくとも第一のモードと第二のモードとに切り替え可能な動画モード切り替え手段と、第一のモードから第二のモードに切り替えられた場合に、表示部に含まれる第一の表示領域に表示されていた複数の項目を、第二のモードにおいても第一の表示領域に表示し、第一のモードにおいて、第一の表示領域よりも当該装置を保持するためのグリップ部から離れた位置にある第二の表示領域に表示されていた複数の項目のうち、少なくとも１つの項目は第二のモードにおいて第二の表示領域に表示せず、第二のモードに切り替えられたことにより表示されなくなった項目が表示されていた位置に、第二のモードにおいて表示される項目のいずれかを表示するように制御する表示制御手段とを有することを特徴とする。
【発明の効果】
【０００９】
本発明によれば、装置を持って構えた状態で表示される項目に対する操作性をより向上させることができる。
【図面の簡単な説明】
【００１０】
【図１】本発明の実施形態の構成を適用可能な装置の一例としてのデジタルカメラの外観図。
【図２】本発明の実施形態の構成を適用可能な装置の一例としてのデジタルカメラの構成例を示すブロック図。
【図３】本実施形態のＦＵＮＣカスタマイズの処理を示すフローチャート。
【図４】本実施形態における設定画面の一例を示す図。
【図５】本実施形態における項目の設定画面の一例を示す図。
【図６】本実施形態の撮影待機画面表示の処理を示すフローチャート。
【図７】本実施形態の静止画の撮影待機画面表示の処理を示すフローチャート。
【図８】本実施形態における撮影待機画面の表示例を示す図。
【図９】モード別表示領域に各機能が表示されるか否かを撮影モード別に示す図。
【図１０】カスタム表示領域に表示される各機能がグレーアウト表示される条件を示す図。
【図１１】モード別表示領域に各機能がグレーアウト表示される条件を示す図。
【発明を実施するための形態】
【００１１】
以下、図面を参照して本発明の好適な実施形態を説明する。
【００１２】
図１（ａ）、（ｂ）に本発明の表示制御装置の一例としてのデジタルカメラ１００の外観図を示す。デジタルカメラ１００は大まかに本体部２０３とグリップ部２０２からなる。図１（ａ）にはデジタルカメラ１００を表示部２８側から見た場合の外観図を示す。図１（ｂ）には、デジタルカメラ１００を撮像レンズ１０３側から見た外観図を示す。
【００１３】
表示部２８は本体部２０３に含まれており、画像や各種情報を表示する表示部である。表示部２８と重畳してタッチ操作を検出可能なタッチパネル７０ａが配置される。
【００１４】
グリップ部２０２に含まれるシャッターボタン６１は撮影指示を行うための操作部（撮影指示部）である。モード切替スイッチ６０は各種モードを切り替えるための操作部である。操作部７０はユーザからの各種操作を受け付ける各種スイッチ、ボタン、タッチパネル等の操作部材より成る操作部である。コントローラホイール７３は操作部７０に含まれる回転操作可能な操作部材である。コントローラホイール７３の四方向には十字キー８２が設けられ、上下左右それぞれのボタンの押下により選択項目の移動が可能になる。また、コントローラホイール７３と十字キー８２の中央には、ＳＥＴボタン８３が設けられており、選択中の項目として設定するための操作部である。メニューボタン８４を押下すると、メニュー画面が表示部２８に表示され、メニュー画面においては撮影に関する設定やモードの切り替えが可能である。電源スイッチ７２は、電源オン、電源オフを切り替えるための押しボタンである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となり記録や再生が可能となる。図においては、蓋を開けて記録媒体スロット２０１から記録媒体２００の一部を取り出して露出させた状態を示している。撮像レンズ１０３は、被写体像を取得するためのレンズである。図１（ｂ）では撮像レンズ１０３が装着されている場合を示しているが、撮像レンズ１０３は必ずしも装着されていなくてもよい。
【００１５】
図２は、本実施形態によるデジタルカメラ１００の構成例を示すブロック図である。
【００１６】
図２において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮像レンズ１０３を含む撮像系を覆うことにより、撮像レンズ１０３、シャッター１０１、撮像部２２を含む撮像系の汚れや破損を防止する。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画や所定期間の動画および音声を格納するのに十分な記憶容量を備えている。
【００１９】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２０】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２１】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。
【００２３】
モード切替スイッチ６０、シャッターボタン６１、操作部７０はシステム制御部５０に各種の動作指示を入力するための操作手段である。
【００２４】
モード切替スイッチ６０は、システム制御部５０の動作モードを静止画モード、動画モード、再生モード等のいずれかに切り替える。静止画モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニューボタンに含まれるこれらのモードのいずれかに直接切り替えられる。あるいは、モード切替スイッチ６０でメニューボタンに一旦切り換えた後に、メニューボタンに含まれるこれらのモードのいずれかに、他の操作部材を用いて切り替えるようにしてもよい。同様に、動画モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作（撮影制御）を開始する。
【００２６】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２は、電源のオンとオフの切り替えを受け付け、電源制御部８０は電源スイッチ７２で受け付けられた電源のオン・オフに応じてデジタルカメラ１００の電源を制御する。
【００２７】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや光ディスク、磁気ディスク等から構成される。
【００２８】
なお操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネルへの以下の操作。あるいは状態を検出できる。
【００２９】
・タッチパネルにタッチしていなかった指やペンが新たにタッチパネルにタッチしたこと。すなわち、タッチの開始（以下、タッチダウン（Touch-Down）と称する）。
・タッチパネルを指やペンでタッチしている状態であること（以下、タッチオン（Touch-On）と称する）。
・タッチパネルを指やペンでタッチしたまま移動していること（以下、タッチムーブ（Touch-Move）と称する）。
・タッチパネルへタッチしていた指やペンを離したこと。すなわち、タッチの終了（以下、タッチアップ（Touch-Up）と称する）。
・タッチパネルに何もタッチしていない状態（以下、タッチオフ（Touch-Off）と称する）。
【００３０】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。複数の表示アイコンが表示されている場合に、フリック操作を行うと、現在選択（もしくは表示）されている表示アイコンとは隣り合っていない離れた位置にある表示アイコンを選択（もしくは表示）することができる。フリック操作を行うことで何回も同じ操作を行わなくても、離れた位置にある項目の選択や、表示されていない領域の表示をすることができる。
【００３１】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対して指やペンが接近していても触れないこともタッチがあったと検出する方式ものがあるが、いずれの方式でもよい。
【００３２】
ＦＵＮＣカスタマイズ設定（以下、機能表示設定と称する）では、撮影の待機中に表示部２８に表示される機能のうち、カスタム表示領域に表示される機能を選択し、表示する位置を設定することができる。タッチボタンであるＦＵＮＣボタンの選択に応じて表示部２８には撮影に関する設定を受け付ける複数の機能が右側と左側の２列の表示領域に表示される（機能表示）。この機能表示のうち表示部２８のグリップ部２０２側（撮影指示をするシャッターボタン６１側）にある機能の表示領域がカスタム表示領域である。図１に示すようにグリップ部２０２にはシャッターボタン６１がある。本実施形態においては、グリップ部２０２は撮影者からみて本体部２０３に対して表示部２８の（底面を下にした場合）右側に配置している。ユーザはグリップ部２０２を（本実施形態では右手の中指、薬指、小指を中心として）握った状態で、シャッターボタン６１に指（人差し指）をかけるようにすると所望のタイミングですぐに撮影指示をしやすく撮影機会を逃しにくくなる。このとき、他方の持ち手（本実施形態では左手）では、撮像レンズ１０３部分やデジタルカメラ１００の本体部２０３の位置がぶれないように安定して保持するので、持ち手を設定操作のために動かすのは好ましくない。ユーザがデジタルカメラ１００を両手で持って構えた状態の時には、表示部２８のうちグリップ部２０２側の方がユーザの指が届きやすいため、操作もしやすい。表示部２８のタッチパネル７０ａへの操作で設定を行う際には、グリップ部２０２を握っている手の親指で、表示部２８のうちグリップ部２０２側に素早くタッチして設定変更できるように機能を表示するようにする。よって、特に撮影中の操作等はグリップ部２０２側の持ち手で行うと、デジタルカメラ１００を安定して保持した状態で、設定等の操作性が向上する。撮影に関する設定を受け付ける機能には、撮影モードやセルフタイマー等の同じ撮影環境または所定期間内では設定の変更をあまり行わない可能性の高いものと、所望の画像を得るために撮影中に設定を変更（静止画では撮影毎に変更）する可能性の高いものがある。
【００３３】
撮影を行う際には撮影を行っている環境やライブビュー、レックレビューを見て設定の変更を行うので、ユーザが撮影を行っている途中に変更をするような項目はグリップ部２０２側のカスタム表示領域に表示し、設定変更を行いやすくする。
【００３４】
機能表示設定ではカスタム表示領域に表示する機能として、動画であれば動画記録中、静止画であれば撮影を行っている途中に設定変更できる複数の機能（項目群）のうち、ユーザの所望の機能をカスタム表示領域の所望の位置に表示するよう設定する。機能表示設定をすることにより、ユーザが使用する頻度の高い機能を操作しやすい位置に表示させたり、あまり使用しない機能については表示させないようにすることができ、操作性が向上する。また、機能選択画面のうち、機能を表示するよう設定可能な項目（位置）は最大で１０個（１０箇所）あり、５個ずつ２ページに亘って表示される。各項目にはそれぞれ表示する機能を設定可能（レイアウト設定可能）であり、１つ（同一）の機能を２個以上の項目（位置）に表示するように設定することもできる。
【００３５】
一般的に、撮影待機中に表示部２８にライブビュー画像以外に表示する設定や機能等を示す表示アイテムはなるべく小さい方が好ましく、また、ライブビュー画像の中央付近に主要被写体を納めるように撮影することが多い。よって、機能を示す表示アイテムは表示部２８の端に表示した方がよい。よって設定可能な機能を表示するためには、限られた領域に表示しなければライブビュー画像の視認性が落ちるため、表示部２８の右端と左端に表示アイテムを示すものとする。すなわち、ライブビュー画像の中央部を挟んでそれぞれ逆側にカスタム表示領域とモード別表示領域とを配置する。
【００３６】
なお、本実施形態ではボタン、項目、機能の選択をタッチ操作に応じて行うものとして説明しているが必ずしもタッチ操作で行わなくてもよく、十字キー８２やＳＥＴボタン８３への押下によって行ってもよい。十字キー８２で選択操作を行う場合には、現在選択されている項目から押下された十字キー８２のうち上下左右キー（８２ａ、ｂ、ｄ、ｃ）の方向に応じた位置にある項目に選択される項目が移る。
【００３７】
図３を用いて、ＦＵＮＣカスタマイズ設定（レイアウト設定）の処理について説明する。このフローは動画、静止画それぞれの待機画面からＦＵＮＣボタンが選択されたことに応じて開始する。この処理は、不揮発性メモリ５６に記録されたプログラムをシステムメモリ５２に展開してシステム制御部５０が実行することで実現する。
【００３８】
Ｓ３０１では、システム制御部５０は、動画の撮影モードか否かを判定する。動画の撮影モードであると判定した場合は、Ｓ３０２へ進み、そうでない場合は、Ｓ３２２へ進む。
【００３９】
Ｓ３０２では、システム制御部５０は、表示部２８に動画システム設定画面を表示する。図４（ａ）は動画時のシステム設定画面、（ｂ）は動画時の項目選択画面の表示例を示したものである。図４（ａ）に示すように、動画のシステム設定画面４１８では、動画ＦＵＮＣカスタマイズ、タリ―ランプ、オートパワーオフ等の設定を行うことができる。設定名４０１は動画ＦＵＮＣカスタマイズを示している。
【００４０】
Ｓ３０３では、システム制御部５０は、動画のシステム設定画面４１８を閉じる指示がされたか否かを判定する。図４（ａ）に示すように動画のシステム設定画面４１８には閉じるボタン４０３が表示されており、閉じるボタン４０３が選択されたと判定された場合は、Ｓ３０４へ進み、撮影待機画面のフローへ移る。そうでない場合は、Ｓ３０５へ進む。
【００４１】
Ｓ３０４では、撮影待機画面の表示や機能の設定に関する処理を行う。撮影待機画面については図６を用いて説明する。
【００４２】
Ｓ３０５では、システム制御部５０は、システム設定画面４１８に表示されている設定名のうち動画ＦＵＮＣカスタマイズが選択されたか否かを判定する。動画ＦＵＮＣカスタマイズ（設定名４０１）が選択されたと判定した場合は、Ｓ３０８へ進み、そうでない場合は、Ｓ３０６へ進む。
【００４３】
Ｓ３０６では、システム制御部５０は、システム設定画面４１８に表示されている設定名のうち、動画ＦＵＮＣカスタマイズ以外の設定名が選択されたか否かを判定する。他の設定名が選択されたと判定した場合は、Ｓ３０７へ進み、そうでない場合は、Ｓ３０３へ進む。
【００４４】
Ｓ３０７では、システム制御部５０は、他の設定名に関する設定を行う。例えば、オートパワーオフが選択された場合には、ユーザはＯＮまたはＯＦＦのうちいずれかに設定することができる。他の設定名に関する設定については割愛する。他の設定名に関する設定を行った後は、引き続き他の設定名に関する設定を行ってもよいし、閉じるボタン４０３が選択された場合には撮影待機画面に戻ってもよい。
【００４５】
Ｓ３０８では、システム制御部５０は、表示部２８に動画の項目選択画面を表示する。図４（ｂ）−１は、動画における項目選択画面４１９には、１０個の項目のうち現在選択可能な項目４０４〜４０８が表示されている。１０個の項目は機能を表示する各位置を示しており、図４（ｂ）−１の状態から下送りボタン４０９が選択されたことに応じて現在表示されていない項目（他の項目ページ）が表示される。このように２ページに亘ってある１０箇所の位置のうちいずれかの位置に機能を表示するように設定することができる。図４（ｂ）において各項目（４０４〜４０８、４１１〜４１５）に表示されている機能は、仮に各項目に表示中の機能を設定した場合のものであり、必ずしも項目選択画面４１９のように表示されるわけではない。また、必ずしも各項目に機能が割当てられるわけでもない。
【００４６】
項目選択画面４１９には、動画のＦＵＮＣカスタマイズ（動画の機能表示設定）を行う画面であることを示す設定名４０２が表示され、ＦＵＮＣカスタマイズの設定方法を説明する説明４２０が表示される。これにより、ユーザは動画の撮影に関する機能表示設定を行う設定画面であることと、その設定の仕方が分かる。
【００４７】
Ｓ３０９では、システム制御部５０は、項目ページ切替えがされたか否かを判定する。ここでは、図４（ｂ）に示す下送りボタン４０９または上送りボタン４１０のうち、表示中の送りボタンが選択されたか否かを判定する。項目ページ切替えされたと判定した場合は、Ｓ３１０へ進み、そうでない場合は、Ｓ３１１へ進む。前述したように設定可能な項目は５個ずつ２ページに亘って表示されており、このようにページ切り替えをする下送りボタン４０９または上送りボタン４１０が選択されたことに応じて項目ページの切り替えが行われる。また、項目ページ切切替えはフリック操作によっても行うことができる。
【００４８】
Ｓ３１０では、システム制御部５０は、現在表示中の項目ページとは異なる他の項目ページを表示部２８に表示する。
【００４９】
Ｓ３１１では、システム制御部５０は、項目が選択されたか否かを判定する。図４（ｂ）−１が表示されている（１ページ目の）場合は、項目４０４〜４０８のいずれかが選択されたか否かを判定し、図４（ｂ）−２が表示されている（２ページ目の）場合は、項目４１１〜４１５のいずれかが選択されたか否かを判定する。項目（が表示されている領域）へのタッチ操作により、項目の選択操作を行うことができる。項目が選択されたと判定した場合は、Ｓ３１４へ進み、そうでない場合は、Ｓ３１２へ進む。
【００５０】
Ｓ３１２では、システム制御部５０は、動画の項目選択画面を閉じるか否かを判定する。項目選択画面４１９の閉じるボタン４０３が選択されたか否かを判定し、選択されたことに応じて、項目選択画面４１９だけでなく動画の機能表示設定に関する画面を閉じ（非表示にし）、Ｓ３０４の撮影待機画面の表示のフローに進む。
【００５１】
Ｓ３１３では、システム制御部５０は、動画の項目選択画面からシステム設定画面へ戻るか否かを判定する。項目選択画面４１９の戻るボタン４１６が選択されたか否かを判定し、選択されたことに応じて、もとのシステム設定画面４１８が表示部２８に表示される。以上、Ｓ３１２、Ｓ３１３で説明したように閉じるボタン４０３が選択されると表示中の画面に関わらず動画の機能表示設定を行う画面を非表示にし、戻るボタン４１６が選択されると１つ前に表示されていた（前の階層の）画面が表示部２８に表示される。
【００５２】
一方、Ｓ３１１において項目が選択された場合には、Ｓ３１４において、システム制御部５０は、表示部２８に動画の機能選択画面を表示する。図５には機能選択画面を示しており、図５（ａ）は動画の機能選択画面、（ｂ）は静止画の機能選択画面である。図５（ａ）に示す動画の機能選択画面５２２は、項目４０４〜４０８と各項目に設定可能な機能５０３〜５１５が表示されている。選択中の項目は項目４０４のように、識別表示５２４のような他の項目とは異なる色彩の表示形態（記号部分白抜き、他の部分グレー）で表示される。
【００５３】
Ｓ３１５では、システム制御部５０は、選択中の項目に割当てる機能が選択されたか否かを判定する。機能が選択されたと判定した場合は、Ｓ３１６へ進み、そうでない場合は、Ｓ３１８へ進む。
【００５４】
動画の機能選択画面５２２における機能５０３〜５１５は、動画の機能表示設定として、各項目に割当て可能な機能である。機能５０３はシャッタースピード、機能５０４は絞り、機能５０５はＩＳＯ感度、機能５０６はホワイトバランス、機能５０７はＥＸＰロックを示しており、現在の露出具合に固定することができる機能である。機能５０８はマイクレベル、機能５０９はゼブラの表示、機能５１０はライブビュー画像の拡大表示、機能５１１はピーキングの表示を設定する機能である。また、機能５１２はデジタルテレコン、機能５１３はパワードＩＳ、機能５１４はＡＥシフト量、機能５１５はタッチフォーカスを設定する機能である。これらの機能は動画の撮影中に設定を変更可能な機能である。各機能の選択操作はタッチ操作により行うことができる。機能を選択した場合には、識別表示５２４で示されている選択中の項目（位置）に対して、その機能を割り当てる。このように、機能を表示する位置を選択した上で、表示する機能を選択することで、所望の位置に、所望の機能が表示されるように設定することができる。
【００５５】
Ｓ３１６では、システム制御部５０は、Ｓ３１５において選択された機能を識別表示する。また、選択中の機能の機能名や説明を機能説明５０２に示す。図５（ａ）では機能５０３が選択された場合の表示例を示しており、機能選択画面５２２の機能５０３は識別表示５２５の表示形態で他の機能とは異なる色彩で示されている。
【００５６】
Ｓ３１７では、システム制御部５０は、選択中の項目にＳ３１５で選択した機能を割り当てる。図５（ａ）の例では、項目４０４と機能５０３が選択されているので、項目４０４に対して機能５０３のシャッタースピードを割り当てる。図５（ａ）の動画の機能選択画面５２２の状態では、項目４０４が選択されているので、選択された機能５０３を示すシャッタースピードの表示アイテムが項目４０４にも表示されている。他の機能を選択した場合には、項目４０４に表示される表示アイテムも切り替わる。
【００５７】
ここで、十字キー８２の操作によって各項目に機能を割り当てる場合について説明する。項目選択画面において項目を選択した後、機能選択画面へ遷移すると、選択中の項目に現在割り当たっている機能が選択される。選択されている機能から上下左右キー８２ａ、ｂ、ｃ、ｄを操作することによって、選択される機能が移動（カーソルが移動）し、ＳＥＴボタン８３の押下により、選択中の項目に移動する。このように機能選択画面においてはＳＥＴボタン８３の押下に応じて機能選択と項目選択を行う階層が移行する。
【００５８】
Ｓ３１８では、システム制御部５０は、動画の機能選択画面５２２において他の項目（項目４０５〜４０８、４１１〜４１５のいずれか）が選択されたか否かを判定する。他の項目が選択されたと判定した場合は、Ｓ３１５へ戻り選択した項目に割当てる機能を選択し、そうでない場合は、Ｓ３１９へ進む。
【００５９】
Ｓ３１９では、システム制御部５０は、動画の機能選択画面５２２において下送りボタン４０９または上送りボタン４１０のうち、表示中の送りボタンが選択されたか否かを判定する。項目ページ切替えされたと判定した場合は、Ｓ３１５へ進み、そうでない場合は、Ｓ３２０へ進む。
【００６０】
Ｓ３２０では、システム制御部５０は、動画の機能選択画面５２２を閉じるか否かを判定する。動画の機能選択画面５２２の閉じるボタン４０３が選択されたことに応じて、機能選択画面５２２だけではなく動画の機能表示設定に関する画面を閉じ（非表示にし）、Ｓ３０４の撮影待機画面の表示のフローに進む。
【００６１】
Ｓ３２１では、システム制御部５０は、動画の機能選択画面から項目選択画面へ戻るか否かを判定する。動画の機能選択画面５２２の戻るボタン５０１が選択されたことに応じて、もとの項目選択画面４１９へ戻る。以上、Ｓ３２０、Ｓ３２１で説明したように閉じるボタン４０３が選択されると表示中の画面に関わらず動画の機能表示設定を行う画面を非表示にし、戻るボタン５０１が選択されると１つ前に表示されていた項目選択画面４１９が表示部２８に表示される。
【００６２】
Ｓ３０２〜Ｓ３２１は動画の場合の機能表示設定のフローであり、Ｓ３２２〜Ｓ３４１は静止画の場合の機能表示設定のフローである。動画と静止画の機能表示設定は、別々にシステムメモリ５２に記録され、撮影中にはそれぞれのモードに応じて設定された機能表示が表示される。それぞれ撮影中に設定可能な機能が異なるため、選択可能な機能が一部異なる。ただし、静止画の機能表示設定と動画の機能表示設定は同様の操作手順で行うので、異なる点について説明する。なお、Ｓ３０２〜Ｓ３２１において、動画のシステム設定画面４１８、動画の項目選択画面４１９、動画の機能選択画面５２２と説明したが、静止画においてはそれぞれ静止画の画面が表示部２８に表示される。静止画のシステム設定画面においては、動画の場合とは異なり設定名４０１の箇所に、図５（ｂ）の項目名５２６の静止画のＦＵＮＣカスタマイズを示す表示アイテムが表示される。また、静止画の項目選択画面５２３には、項目名５２６のような静止画のＦＵＮＣカスタマイズを示す表示アイテムが表示される。静止画の項目選択画面５２３は図５（ｂ）に示すように、動画の場合とは異なり、静止画の機能設定において各項目に割当て可能な機能５０３〜５０７、５０９〜５１１、５１４〜５１５が表示される。動画の場合で割当て可能な機能であって機能５０８（マイクレベル）、機能５１２（デジタルテレコン）、機能５１３（パワードＩＳ）は静止画においては割当てることはできない。また静止画のカスタム表示領域には設定可能な機能が動画の場合とは異なり、項目５１６〜５２０と下送りボタン５２１の選択に応じて表示される項目ページにある項目に機能を割り当てることができる。このようにカスタム表示領域に表示される機能は静止画か動画かに応じて別々に設定可能である。
【００６３】
カスタム表示領域に表示される機能をユーザが選択し、さらに表示する位置を設定することができるので、ユーザは使用頻度の高い機能を操作しやすい位置に表示させることができる。ユーザは設定操作を行う際に、撮影中に設定変更する機能を判別した後にさらに、表示する機能を選択する必要がなく、既に表示されている機能から選択操作を行えばよい。また、静止画と動画ではそれぞれに設定された機能の表示をするので、一方の撮影モードでは使用するが、他方の撮影モードでは使用しない機能までもが限られた領域に表示され、場所をとることもない。
【００６４】
図８を用いて、機能表示について説明する。
【００６５】
図８は撮影待機画面及び撮影中の表示の一例を示したものである。図８（ａ）は、機能表示がされていない場合の動画の撮影待機画面の一例である。図８（ｂ）にはＨＤ動画撮影のＡＶモードに設定された場合、（ｃ）は４Ｋ動画撮影のＡＵＴＯモードに設定された場合、（ｄ）は静止画撮影のＭモードに設定された場合の撮影待機画面の一例である。（ｅ）は４Ｋ動画撮影のＭモードに設定された場合の撮影中の画面の一例である。図８においては、ライブビュー画像８０２は簡略化のため、黒色の面を撮影したものとする。
【００６６】
図８（ｂ）〜（ｅ）に示されるカスタム表示領域８０３はグリップ部２０２側の領域に表示されており、モード別表示領域８０４は、表示部２８のうちカスタム表示領域８０３よりもグリップ部２０２側から離れた領域に表示されている。カスタム表示領域８０３には、図３のＦＵＮＣカスタマイズにおいて設定された機能が表示される。モード別表示領域８０４には、モードに応じた機能が表示される。カスタム表示領域８０３には、動画の撮影中または静止画の撮影を行っている際に、設定変更する機能が表示されており、ユーザは撮影待機をした状態ですばやく機能の設定変更をすることができる。モード別表示領域８０４には、それぞれの撮影モードにおいて設定変更可能な機能が表示され、設定変更できない機能については表示されない。よって、モード別表示領域では同じ機能でも表示される位置がモードに応じて異なり、また表示される機能の数がモードに応じて異なる。モード別表示領域には静止画モードが動画モードかだけでなく、記録形態や画質に応じて表示される機能が異なる。モード別表示領域には、動画モードの場合であれば、動画の撮影中ではなく撮影の前や後に設定変更を行う機能が表示されている。モード別表示領域に表示されている機能の設定変更は、グリップ部２０２を握っているデジタルカメラ１００を構えた状態ではモード別表示領域まで指（親指）が届かずタッチ操作では行うことができない。モード別表示領域に表示された機能にタッチするためには、レンズ部分を左手で持ちデジタルカメラ１００を保持した状態で、グリップ部２０２から右手を離し（すなわちシャッターボタン６１にかけていた指を離し）、離した右手の指でタッチする必要がある。しかし、動画の撮影中には、このようなデジタルカメラ１００を安定的に保持できていない状態、もしくは撮影指示をすぐにできない状態では、得られる画像にブレが生じたり、撮影タイミングを逃す可能性があるため好ましくない。従って動画の撮影中にこのような状態にならなくとも設定変更が行えるように、動画の撮影中に設定変更が可能な機能はモード別表示領域ではなく、カスタム表示領域に表示するようにしている。一方、撮影中には設定変更できない機能であっても、機能または機能の設定項目（設定値）を示すことは有用である。そのため、このような、動作の撮影中に設定変更はできないが、機能または機能の設定項目（設定値）を示す表示アイテムをモード別表示領域に表示するので、ユーザは設定内容を確認しながら撮影を行うことができる。
【００６７】
前述したように、カスタム表示領域８０３には静止画の撮影モードであれば静止画のＦＵＮＣカスタマイズにおいて設定された機能が、動画の撮影モードであれば動画のＦＵＮＣカスタマイズにおいて設定された機能が表示される。各機能の設定変更は共に設定領域８１９において行う。ここで、表示される各機能を示す表示アイテムは、各機能において設定中のパラメータ（設定領域８１９において設定された設定項目）を示す表示アイテムである。
【００６８】
次に、撮影待機画面の表示フローについて図６を用いて説明する。このフローは撮影モードに切り替えられた場合、図３のＳ３０３またはＳ３２３でシステム設定画面が閉じられた場合、Ｓ３１２またはＳ３３２で項目選択画面が閉じられた場合、Ｓ３２０またはＳ３４０で機能選択画面が閉じられた場合の処理の詳細である。この処理は、不揮発性メモリ５６に記録されたプログラムをシステムメモリ５２に展開してシステム制御部５０が実行することで実現する。
【００６９】
Ｓ６０１では、システム制御部５０は、動画の撮影モードか否かを判定する。動画の撮影モードであると判定した場合はＳ６０２へ進み、そうでない場合は、Ｓ６４２へ進む。
【００７０】
Ｓ６０２では、システム制御部５０は、撮影モードが切り替えられたか否かを判定する。撮影モードが切り替えられたと判定した場合は、Ｓ６０１へ戻り、そうでない場合は、Ｓ６０３へ進む。撮影の待機画面の表示中に機能表示をする指示がされると、切り替えられた撮影モードに応じた機能表示がされる。
【００７１】
Ｓ６０３では、システム制御部５０は、撮影モードが終了したか否かを判定する。撮影モードが終了したと判定した場合には、撮影待機画面の表示を終了し、そうでない場合は、Ｓ６０４へ進む。撮影モードの終了とは電源のＯＦＦや、再生画面への切替のことである。
【００７２】
Ｓ６０４では、システム制御部５０は、動画撮影待機画面を表示部２８に表示する。図８（ａ）〜（ｃ）は動画撮影待機中の表示部２８の一例を示したものであるが、（ａ）は機能表示されていない場合、（ｂ）、（ｃ）は機能表示されている場合を示している。Ｓ６０４においては、図８（ａ）のように機能表示せずに、撮像部２２から得られたライブビュー画像８０２を表示する。さらに、ＦＵＮＣボタン８０１、マイクレベルを示すマイクレベル表示８２１、動画の撮影待機中であることを示す待機アイコン８２３のような撮影モード撮影設定を示すアイコンを表示する。ＦＵＮＣボタン８０１は、グリップ部２０２側に表示されており、デジタルカメラ１００を構えた状態でタッチ操作により選択することができる。機能表示されていない場合には、表示部２８に表示される機能を示すアイコンのうち、予め定められた設定値または設定項目から設定が変更された機能は、変更された設定値または設定項目示す表示アイテムが表示される。
【００７３】
Ｓ６０５では、システム制御部５０は、ＦＵＮＣボタンが選択（タッチ）されたか否かを判定する。図８（ａ）に示すＦＵＮＣボタン８０１は機能表示がされていない場合にライブビュー画像８０２に重畳するように表示される表示であり、ＦＵＮＣボタン８０１が選択されたことに応じて表示部２８から非表示になる。ＦＵＮＣボタンが選択されたと判定した場合は、Ｓ６０６へ進み、そうでない場合は、Ｓ６１９へ進む。
【００７４】
Ｓ６０６では、システム制御部５０は、モード別表示領域に表示する機能を判定する。図９は撮影モードと、各撮影モードにおいてモード別表示領域８０４に表示される機能を示した図である。撮影モードは４Ｋ動画撮影、ＨＤ動画撮影、静止画撮影の３種類の撮影方法にさらにＡＵＴＯ（オート）、Ｐ（プログラム）、ＴＶ（シャッター優先）、Ｍ（マニュアル）、ＳＣＮ（シーン）モードがる。動画モード（４Ｋ動画撮影またはＨＤ動画撮影）を選択すると、さらに選択した動画モードの中でいずれのモードで撮影するのかを選択することができる（動画モード切替）。モード別表示領域８０４に表示される機能は、各撮影方法とモードとをかけ合わせた撮影モードのうち計９種類の表示パターンに分けられる。図９に示すように各パターンによって表示される機能と表示されない機能があり、変更前の撮影モードの属するパターンとは異なるパターンに属する撮影モードに変更（モード設定）された場合には、モード別表示領域８０４に表示される機能が変更される。例えば、ＨＤ動画撮影のＡＶモードから４Ｋ撮影のＡＵＴＯモードに変更された場合には、図８（ｂ）と（ｃ）のモード別表示領域８０４に示すように、表示される機能が異なる。図８（ｂ）では、機能８１２〜８１６までが表示されており、さらに下送りボタン８１７の選択により表示される不図示の機能が１つある。図８（ｃ）には、機能８１３、８１５、８１６が表示される。このようにモード別表示領域８０４では撮影モードに応じて、各撮影モードにおいて変更可能な機能をまとめて（上詰めに）表示し、設定変更できない機能は表示しない（非表示にする）。よって、モード別表示領域８０４には設定変更可能な機能を表示し、設定変更不可能な機能な表示しないので、より少ない選択肢から素早く所望の機能を選択することができる。モード別表示領域８０４に表示される機能は動画の撮影中には設定変更されない機能であるが、直前の撮影が終了した後、素早く設定変更できるので、次の撮影をすぐに開始することができる。
【００７５】
Ｓ６０７では、システム制御部５０は、設定されたカスタム表示領域に表示する機能のうち、グレー表示する機能を判定する。図１０は、図３のＦＵＮＣカスタマイズにおいて設定可能な機能と、各機能がグレー表示される撮影モードまたは撮影時の設定を示した図である。マイクレベル、パワードＩＳ、デジタルテレコンは動画の場合のみ選択可能な機能であり、静止画の場合にはＦＵＮＣカスタマイズにおいて選択することができないので、表示もされない。例えば、ＨＤ動画撮影のＡＶモードから４Ｋ撮影のＡＵＴＯモードに変更された場合には、図８（ｂ）と（ｃ）のカスタム表示領域８０３に示すようにグレー表示される機能が異なる。図８（ｂ）では、機能８０６〜８１０のうち機能８０６と機能８０８がグレー表示され、（ｃ）では機能８０６〜８０９がグレー表示される。また、（ｂ）では、機能８０７、８０９、８１０が通常表示（図８においては白色表示）され、（ｃ）では機能８１０が通常表示されている。モード別表示領域８０４とは異なり、カスタム表示領域８０３では設定された機能の表示位置は撮影モードに応じて変わらないが、撮影モードや設定に応じて設定変更できない機能はグレー表示される。カスタム表示領域８０３はユーザが表示する機能と、各機能の表示位置を設定した領域であり、表示位置をモードや設定に応じて変更されないので、ユーザはより感覚的にどのモードや設定においても操作を行うことができる。
【００７６】
Ｓ６０８では、システム制御部５０は、機能表示をする。Ｓ６０４で表示すると判別された機能をモード別表示領域８０４に、カスタム表示領域８０３にはＳ６０５でグレー表示すると判別された機能をグレー表示し、その他の機能を通常表示する。機能表示をした場合には、もともとの撮影待機画面において表示されていた表示アイテムには、そのまま表示されるものと、異なる形式で表示されるものと、表示されなくなるものがある。動画の撮影待機中であることを示す待機アイコン８２３はそのまま表示され、マイクレベルを示すマイクレベル表示８２１はマイクレベルの機能を示す機能８１０で表示される。また、ＦＵＮＣボタン８０１は非表示になる。機能表示されていない場合には、設定が予め定められた設定から変更された機能または一部の機能のみが表示部２８に表示されていたが、機能表示では各機能の設定に関わらずその機能は表示される。また、各機能の設定内容を、機能を示す表示アイテムを選択することで確認することができる。
【００７７】
Ｓ６０９では、システム制御部５０は、表示されている機能のうち現在選択中の機能を識別表示する。図８（ｂ）では、機能８１２が選択されており、機能８１２が識別表示８１８の表示形態（異なる色彩）で表示される。ユーザからの機能の選択指示がない初期状態ではカスタム表示領域８０３の先頭の機能（図８（ｂ）、（ｃ）においては機能８０６が表示されている位置に表示されている機能）が識別表示８１８の表示形態で表示される。
【００７８】
Ｓ６１０では、システム制御部５０は、選択中の機能の設定を変更する領域として設定領域８１９に、選択中の機能のパラメータや設定項目が表示される。図８（ｂ）では、選択中の機能８１２（ルック機能）として設定可能な項目が設定領域８１９に表示される。
【００７９】
他の機能が選択されたことに応じて設定領域８１９に表示される項目も変わる。例えば、図８（ｃ）は機能８１３のオーディオシーンが選択されており、設定領域８１９にはオーディオシーンの選択項目が表示されている。また、スタンダードが設定中なので、スタンダードを示す表示アイテムでモード別表示領域８０４のオーディオシーン（機能８１３）が示されている。
【００８０】
Ｓ６１１では、システム制御部５０は、設定領域８１９に対する選択操作によって、選択中の機能の設定が変更されたか否かを判定する。選択操作は設定領域８１９に表示されている設定項目または設定値へのタッチ操作によって行うことができる。設定領域８１９への選択操作は、グリップ部２０２を握り、構えた状態で、グリップ部２０２を握っている親指が届くので設定中の機能に対する設定変更を行うことができる。十字キー８２への操作で選択中の機能の設定を変更することも可能である。十字キー８２で設定変更する機能を選択する場合には、十字キー８２でカーソルを設定変更する機能に合わせた後に、ＳＥＴボタン８３を押下し、設定変更する機能を確定する。ＳＥＴボタン８３を押下したことに応じて設定領域８１９に表示されている項目のうち現在設定されている設定値を示す位置、または設定項目を示す表示アイコン上にカーソルがあたる。設定領域８１９内では左右キー８２ｃ、ｄへの操作に応じて設定の変更が可能である。設定領域８１９内に表示されている表示アイコンが選択されている際に、上下キー８２ａ、ｂへの操作を行うと現在選択中の機能へカーソルが移動する（選択中の機能が選択され、機能の選択階層に移動する）。設定が変更されたと判定した場合は、Ｓ６１２へ進み、そうでない場合は、Ｓ６１３へ進む。
【００８１】
Ｓ６１２では、システム制御部５０は、選択中の機能の設定をＳ６１１で変更された機能の設定項目または設定値に設定する。このとき、モード別表示領域８０４またはカスタム表示領域８０３において機能を示す表示アイテムが設定中の設定項目で示される機能は、機能を示すアイコンもＳ６１２において設定された設定項目を示す表示アイテムに変更される。
【００８２】
Ｓ６１３では、システム制御部５０は、現在選択中の機能から他の機能が選択されたか否かを判定する。機能の選択は、表示された機能へタッチすることによって行うことができる。グリップ部２０２を握り、構えた状態で、カスタム表示領域にグリップ部２０２を握っている親指が届くので、構えた状態で機能の選択操作を行うことができる。また、十字キー８２の上下キー８２ａ、ｂでカーソルを移動させて選択することもできる。他の機能が選択されたと判定した場合は、Ｓ６１４へ進み、そうでない場合は、Ｓ６０９へ進む。Ｓ６１１〜Ｓ６１４を繰り返すことでモード別表示領域８０４とカスタム表示領域８０３に表示中の機能に関する設定を変更することができ、これによりユーザは所望の設定で撮影を行うことができる。十字キー８２で機能の選択操作を行う場合について説明する。本実施形態においてはモード別表示領域及びカスタム表示領域に表示される機能は、それぞれ縦に並んで表示されている。左右キーへの操作では、モード別表示領域に表示されている機能からカスタム表示領域に表示されている機能へ移動可能である。また、上下キーの操作では、それぞれの表示領域に表示されている機能と、メニューアイコン８２０または閉じるアイコン８０５との移動が可能である。また表示されている機能のうち端に表示されている機能が選択されており、上端の場合は上に、下端の場合は下に項目ページがある場合には、上キー８２ａ、下キー８２ｂへの操作に応じて項目ページの切替えが可能である。
【００８３】
Ｓ６１４では、システム制御部５０は、メニューアイコンが選択されたか否かを判定する。図８（ｂ）〜（ｄ）に示すメニューアイコン８２０（またはメニューボタン８４）を選択したことに応じてＦＵＮＣカスタマイズの設定を含むメニュー設定を行うことができる。メニューアイコンが選択されたと判定した場合は、Ｓ６１５へ進み、そうでない場合は、Ｓ６１６へ進む。
【００８４】
Ｓ６１５では、システム制御部５０は、図３で説明したＦＵＮＣカスタマイズの設定の処理を行う。
【００８５】
Ｓ６１６では、システム制御部５０は、撮影指示があったか否かを判定する。撮影指示（撮影指示操作）があったと判定した場合は、Ｓ６２６へ進み、そうでない場合は、Ｓ６１７へ進む。撮影指示はシャッターボタン６１を全押しすることで行うことができる。
【００８６】
Ｓ６１７では、システム制御部５０は、機能表示を閉じる（非表示にする）か否かを判定する。機能表示を閉じると判定した場合は、Ｓ６１８へ進み、そうでない場合は、Ｓ６３８へ進む。機能表示は閉じるアイコン８０５が選択されたことに応じて非表示になる。
【００８７】
Ｓ６１８では、システム制御部５０は、表示部２８に表示していた機能表示を非表示にし、Ｓ６０２へ戻る。
【００８８】
Ｓ６１９では、システム制御部５０は、撮影指示があったか否かを判定する。撮影指示があったと判定した場合は、Ｓ６２０へ進み、そうでない場合は、Ｓ６０２へ戻る。
【００８９】
Ｓ６２０では、システム制御部５０は、動画の撮影処理を行う。Ｓ６１８において動画の撮影指示がされ、動画の撮影が開始したので、撮影中の動画に対する処理を行う。ここで、Ｓ６２０はＳ６０３においてＦＵＮＣボタン８０１が選択されずに撮影が開始されたので、表示部２８に機能表示されていない。
【００９０】
Ｓ６２１では、システム制御部５０は、Ｓ６０３と同様にＦＵＮＣボタンが選択されたか否かを判定する。ＦＵＮＣボタンが選択されたと判定した場合は、Ｓ６２４へ進み、そうでない場合は、Ｓ６２２へ進む。
【００９１】
Ｓ６２２では、システム制御部５０は、撮影終了指示があったか否かを判定する。撮影終了指示があったと判定した場合は、Ｓ６２３へ進み、そうでない場合は、Ｓ６２０へ戻る。撮影終了指示は撮影の開始の指示を同様にシャッターボタン６１の全押しにより行われる。
【００９２】
Ｓ６２３では、システム制御部５０は、撮影終了処理を行う。撮影終了処理は、撮影した動画の圧縮処理、サムネイルの作成等を行い、撮影日時と共に記録する。
【００９３】
Ｓ６２４〜Ｓ６２５は、Ｓ６０６〜Ｓ６０７の処理と同様の処理である。
【００９４】
Ｓ６２６では、システム制御部５０は、モード別表示領域に表示する機能のうち動画の撮影中にグレー表示する機能を判定する。この処理は動画の機能表示中に動画の撮影が開始された場合（Ｓ６１６）または動画の撮影中に機能表示をする指示がされた場合（Ｓ６２１）に行われる。図１１は、モード別表示領域に表示される機能のグレー表示される条件を示した図である。図１１に示すように、モード別表示領域に表示される機能は動画の撮影中には設定変更できない（受け付けない）機能であるので、動画の撮影中にはグレー表示される。また、ドライブモードは静止画の場合のみ表示される。プレＲＥＣとセルフタイマーは動画撮影中以外にもグレー表示される条件がある。
【００９５】
一方で、カスタム表示領域に表示される機能は図１０において示すように動画撮影中（記録中）になったことに応じてグレー表示される機能はなく、撮影待機中に表示されていた機能は、動画撮影中でも設定変更することができる。
【００９６】
Ｓ６２７では、システム制御部５０は、Ｓ６０８と同様に機能表示をする。Ｓ６２４で表示すると判別された機能をモード別表示領域８０４に、カスタム表示領域８０３にはＳ６２５でグレー表示すると判定された機能をグレー表示し、その他の機能を通常表示する。ただし、Ｓ６２６の判定に応じて、モード別表示領域に表示する機能をグレー表示する。図８（ｅ）は４Ｋ動画撮影のＭモードに設定された場合の撮影中の表示部２８の一例であり、モード別表示領域８０４に表示されている機能８１２〜８１６はグレー表示され、設定変更できないことを示している。一方で、図８（ｅ）に示すようにカスタム表示領域８０３に表示されている機能のうち、動画の撮影開始前に通常表示されていた機能は動画の撮影が開始されてもグレー表示されない。機能８０６〜８０８、８１０は通常表示されたままである。図９に示すように機能８０９の示すＥＸＰロックはＭモードではグレー表示される機能なので、動画の撮影中か否かに関わらずグレー表示される。動画撮影の待機中にモード別表示領域８０４に表示されている機能８１２〜８１６が選択されていた場合には、動画の撮影が開始したことに応じて、選択中の機能の設定変更ができないことを示す説明が表示される（不図示）。また、待機アイコン８２３を非表示にし、動画撮影中であることを示す撮影中アイコン８２２を表示する。
【００９７】
Ｓ６２８では、システム制御部５０は、メニューアイコン８２０をグレー表示する。動画の撮影中にはＦＵＮＣカスタマイズの設定や他の項目に関する設定等は行うことができないので、グレー表示し設定変更できないことを示す。
【００９８】
Ｓ６２９〜Ｓ６３０は、Ｓ６０９〜Ｓ６１０と同様の処理である。
【００９９】
Ｓ６３１では、システム制御部５０は、Ｓ６２０と同様に動画の撮影処理を行う。
【０１００】
Ｓ６３２では、システム制御部５０は、Ｓ６２２と同様に撮影終了指示があったか否かを判定する。撮影終了指示があったと判定した場合は、Ｓ６３６へ進み、そうでない場合は、Ｓ６３３へ進む。
【０１０１】
Ｓ６３３〜Ｓ６３５の処理は、Ｓ６１１〜Ｓ６１３と同様の処理である。
【０１０２】
Ｓ６３６では、システム制御部５０は、Ｓ６２７において機能表示した際に、グレー表示されたモード別表示領域８０４に表示されている機能と、メニューアイコン８２０とを通常表示にする。
【０１０３】
Ｓ６３７では、システム制御部５０は、Ｓ６２３と同様に撮影終了処理を行う。
【０１０４】
Ｓ６３８では、システム制御部５０は、Ｓ６０３と同様に撮影モードが終了したか否かを判定する。撮影モードが終了したと判定した場合には、撮影待機画面の表示を終了し、そうでない場合は、Ｓ６３９へ進む。
【０１０５】
Ｓ６３９では、システム制御部５０は、撮影モードが切り替えられたか否かを判定する。撮影モードが切り替えられたと判定した場合は、Ｓ６４０へ進み、そうでない場合は、Ｓ６０９へ戻る。
【０１０６】
Ｓ６４０では、システム制御部５０は、Ｓ６０１と同様に動画の撮影モードか否かを判定する。動画の撮影モードであると判定した場合はＳ６０６へ進み、そうでない場合は、Ｓ６４１へ進む。
【０１０７】
Ｓ６４１では、システム制御部５０は、静止画待機画面の表示を行う。静止画待機画面の表示のフローの詳細は図７で説明する。
【０１０８】
Ｓ６４２は、Ｓ６０１で動画モードでないと判定された場合を示しており、システム制御部５０は、Ｓ６４１と同様に静止画待機画面の表示を行う。
【０１０９】
次に、静止画の撮影待機画面の表示フローについて図７を用いて説明する。この処理は図６のＳ６４２の処理の詳細である。この処理は、不揮発性メモリ５６に記録されたプログラムをシステムメモリ５２に展開してシステム制御部５０が実行することで実現する。
【０１１０】
Ｓ７０１では、システム制御部５０は、図６のＳ６０１と同様に動画の撮影モードか否かを判定する。動画の撮影モードであると判定した場合はＳ７２６へ進み、そうでない場合は、Ｓ７０２へ進む。
【０１１１】
Ｓ７０２〜Ｓ７０３の処理は、図６のＳ６０２〜Ｓ６０３と同様の処理である。
【０１１２】
Ｓ７０４では、システム制御部５０は、静止画待機画面を表示部２８に表示する。
【０１１３】
Ｓ７０５〜Ｓ７１５の処理は、図６のＳ６０５〜Ｓ６１５と同様の処理である。ただし、Ｓ７０８の機能表示において、カスタム表示領域に表示される機能は静止画モードのＦＵＮＣカスタマイズ（機能表示設定）において設定され、静止画モードの機能表示設定としてシステムメモリ５２に記録されている機能が表示される。
【０１１４】
Ｓ７１６では、システム制御部５０は、撮影指示があったか否かを判定する。撮影指示があったと判定した場合は、Ｓ７１９へ進み、そうでない場合は、Ｓ７１７へ進む。撮影指示はシャッターボタン６１を全押しすることで行うことができる。シャッターボタン６１の半押しでは撮影準備を行う。撮影準備とは、ＡＦ処理、ＡＥ処理、ＡＷＢ処理、ＥＦ処理等の動作のことである。
【０１１５】
Ｓ７１７〜Ｓ７１８の処理は、図６のＳ６１７〜Ｓ６１８と同様の処理である。
【０１１６】
Ｓ７１９では、システム制御部５０は、静止画の撮影処理を行う。ここでは、撮像部２２により得られた画像（静止画）を記録媒体２００に記録する。
【０１１７】
Ｓ７２０では、システム制御部５０は、撮影モードが終了したか否かを判定する。撮影モードの終了とは電源のＯＦＦや、再生画面への切替のことである。撮影モードが終了したと判定した場合には、撮影待機画面の表示を終了し、そうでない場合は、Ｓ７２１へ進む。
【０１１８】
Ｓ７２１では、システム制御部５０は、撮影モードが切り替えられたか否かを判定する。撮影モードが切り替えられたと判定した場合は、Ｓ６２２へ進み、そうでない場合は、Ｓ６０９へ戻る。
【０１１９】
Ｓ７２２では、システム制御部５０は、Ｓ７０１と同様に動画の撮影モードか否かを判定する。動画の撮影モードであると判定した場合はＳ６２３へ進み、そうでない場合は、Ｓ６０６へ戻る。
【０１２０】
Ｓ７２３では、システム制御部５０は、撮影待機画面の表示を行う。撮影待機画面の表示のフローの詳細は図６で説明した処理である。
【０１２１】
Ｓ７２４では、システム制御部５０は、Ｓ７１６と同様に撮影指示があったか否かを判定する。撮影指示があったと判定した場合は、Ｓ７２５へ進み、そうでない場合は、Ｓ７０２へ戻る。
【０１２２】
Ｓ７２５では、システム制御部５０は、Ｓ７１９と同様に静止画の撮影処理を行う。
【０１２３】
以上、説明した実施形態によれば、デジタルカメラ１００を構えた状態で操作可能な領域には、撮影中に素早く設定変更する機能のうちユーザの所望の機能を表示し、そうでない領域には撮影モードに応じた機能を表示する。設定変更可能な機能のうちユーザが設定した機能を、グリップ部２０２を握った状態で届くカスタム表示領域のうち所望の位置に表示するように設定することができる。よって、撮影中にはグリップ部２０２を握った状態、撮影指示をすぐにできるデジタルカメラ１００を構えた状態であっても素早く設定の変更をすることができ、所望の画像をえることができる。一方、動画の撮影中には設定変更できない、または静止画の撮影のうち撮影環境が変わるまで設定変更しない、所定期間設定変更しない等の機能は表示部２８のうちカスタム表示領域よりもグリップ部２０２から離れたモード別表示領域に表示される。モード別表示領域に表示される機能は、動画の撮影中等には設定変更しない機能であり、画面の左端に表示し撮影中に邪魔にならないようにするが、モードに応じて設定変更可能な機能を表示するので、より素早く設定変更を行うことができる。
【０１２４】
また、カスタム表示領域に表示する機能を設定する際には、ユーザは撮影中に設定変更可能な機能から選択をすればよいので、機能毎に設定変更な状況を考慮しながら表示位置の設定を行わなくてよい。
【０１２５】
なお、本実施形態では項目を選択してから、前記項目に割当てる機能を選択するとしたが、機能を選択してから前記機能を割り当てる項目を選択するようにしてもよい。
【０１２６】
なお、動画撮影の待機中にモード別表示領域に表示されている機能が選択されていた場合に、動画の撮影が開始したことに応じて、選択中の機能の設定変更ができないことを示す説明するとしたが、他の機能を選択するようにしてもよい。つまり、動画の撮影が開始したことに応じて、モード別表示領域の機能が選択されていた場合には、カスタム表示領域の機能が選択されるようにしてもよい。
【０１２７】
なお、表示制御装置の制御は１つのハードウェアが行ってもよいし、複数のハードウェアが処理を分担することで、装置全体の制御を行ってもよい。
【０１２８】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２９】
また、上述した実施形態においては、本発明をデジタルカメラ１００に適用した場合を例にして説明したが、これはこの例に限定されずタッチ操作によって表示部に表示されている項目の選択を行うことができるような表示制御装置であれば適用可能である。すなわち、本発明は携帯電話端末や携帯型の画像ビューワ、デジタルフォトフレーム、音楽プレーヤー、ゲーム機、電子ブックリーダーなどに適用可能である。特に、グリップ部を持って機器を保持して利用する必要のある携帯型の機器に適用すると効果的である。
【０１３０】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【０１３１】
本発明は上記実施の形態に制限されるものではなく、本発明の精神及び範囲から離脱することなく、様々な変更及び変形が可能である。従って、本発明の範囲を公にするために以下の請求項を添付する。
【図１】
0006541690.tif 000002
【図２】
0006541690.tif 000003
【図３】
0006541690.tif 000004
【図４】
0006541690.tif 000005
【図５】
0006541690.tif 000006
【図６】
0006541690.tif 000007
【図７】
0006541690.tif 000008
【図８】
0006541690.tif 000009
【図９】
0006541690.tif 000010
【図１０】
0006541690.tif 000011
【図１１】
0006541690.tif 000012